(57)【特許請求の範囲】
【請求項１】
文字入力画面に表示された複数の候補語句のいずれかを選択することにより、文字入力
を遂行できる機能を備えた電子機器において、
前記文字入力画面に、入力領域と、第１候補語句表示領域と、第２候補語句表示領域と
を設定し、前記第１候補語句表示領域に使用者の選択した参照データの全部あるいは一部を、その中の候補語句に識別を施したうえで表示し、前記第２候補語句表示領域には前記第１候補語句表示領域に表示される候補語句以外の候補語句を表示することを特徴とする電子機器。
【請求項２】
前記第２候補語句表示領域への候補語句の表示は、優先順位の高い順に表示されることを特徴とする請求項１記載の電子機器。
【請求項３】
前記優先順位は、過去に入力された語句を優先順位第１とし、該過去に入力された語句以外の語句を優先順位第２とすることを特徴とする請求項２に記載の電子機器。
【発明の詳細な説明】
【技術分野】
【０００１】
本発明は文字入力機能を備えた電子機器に関する。
【背景技術】
【０００２】
携帯電話機は、メールで通信したりメモを残したりするため、一般的に文字入力機能を備えている。ところで携帯電話機はパーソナルコンピュータのキーボードに比べキーの数が少なく、１個のキーに複数の文字が割り当てられており、目的とする文字が表示されるまで、何回もキープッシュを繰り返さねばならないことがある。これに加えて和文には漢字変換の問題があり、ひらがなを入力しては漢字変換するという作業に時間をとられ、スピーディーな文字入力が阻害されていた。
【０００３】
上記のような文字入力の手間を軽減するため、最近の携帯電話機は、ひらがなを何文字か入力した時点で使用者が入力しようとしている語句の候補を表示し、その候補のどれかを使用者が選択すれば文字入力完了となる機能を備えるようになっている。候補語句は、携帯電話機の工場出荷時にデフォルトで記憶させてある語句や、過去に入力した語句の中から選出される。候補語句の表示領域が狭くて全ての候補語句が表示できない場合はスクロールやページ送りにより全ての候補語句を表示するようになっている。
【０００４】
特許文献１も語句の候補を表示する技術の一例を示すものである。特許文献１には他の装置で作成された文書内の文字列も短縮変換候補とすることができる装置が記載されている。
【特許文献１】特開２００２−１４９６４２号公報（［００２７］［００２８］、図１−１１）
【発明の開示】
【発明が解決しようとする課題】
【０００５】
従来の携帯電話機では、文字入力時に候補語句を表示するにあたり、過去に入力された語句が優先して表示されるようになっている。その中でも入力日時の新しいものの方が優先順位が高い。便利な仕組みではあるが、使用者が任意に指定した候補語句ではないために、最初の方に表示された語句が、作成中の文に使用できる語句であるとは必ずしも言えない。直近に作成した文でなく、それ以前の文に関連する文を作成しようとしたとき、選択したい語句が後の方に表示されていて、たどり着くまでに時間がかかるといったケースもしばしば見受けられる。
【０００６】
本発明は上記問題点に鑑みなされたものであり、携帯電話機で文字入力を行う際、より実効性の高い候補語句表示がなされるようにすることを目的とする。
【課題を解決するための手段】
【０００７】
（１）上記目的を達成するために本発明は、文字入力画面に、入力領域と、第１候補語句表示領域と、第２候補語句表示領域とを設定し、前記第１候補語句表示領域に使用者の選択した参照データの全部あるいは一部を、その中の候補語句に識別を施したうえで表示し、前記第２候補語句表示領域には前記第１候補語句表示領域に表示される候補語句以外の候補語句を表示することを特徴とする。
【０００８】
（２）また本発明は、第２候補語句表示領域への候補語句の表示は、優先順位の高い順に表示されることを特徴とする。
【０００９】
（３）また本発明は、優先順位は、過去に入力された語句を優先順位第１とし、該過去に入力された語句以外の語句を優先順位第２とすることを特徴とする。
【発明を実施するための最良の形態】
【００１８】
以下、本発明の第１実施形態を図１−３に基づき説明する。図１は携帯電話機のブロック構成図、図２は文字入力画面の例示、図３は候補語句検索及び表示のフローチャートである。
【００１９】
携帯電話機１は図１に示す構成要素を備えるものであり、以下これにつき説明する。
【００２０】
電話通信部１０は後述するベースバンド部からの信号をアンテナ１１を介して基地局へ送信したり、基地局からの電波をアンテナ１１を介して受信したりする。
【００２１】
ベースバンド部１２はＣＤＭＡ処理部１３と音声コーデック１４を有する。ＣＤＭＡ処理部１３は符号分割多元接続（code division multiple access）、スクランブル、誤り制御、及びタイミング検出を行う。音声コーデック（codec）１４は音声の圧縮（符号化）、音声の伸張（復号化）、アナログとディジタルの変換などを行い、また内部の増幅回路（図示せず）により受話音量やマイクロフォンの感度を変更する。
【００２２】
ベースバンド部１２には切替回路１５を介してスピーカ１６、マイクロフォン１７、及び拡声スピーカ１８が接続される。スピーカ１６は耳に当てて音を聞く（「受話」）のに用いられるものであり、増幅回路１９で増幅されたベースバンド部１２の電気信号を音声に変換する。マイクロフォン１７は口元に近づけて話をする（「送話」）のに用いられるものであり、音声を電気信号に変換し、増幅回路２０で増幅してベースバンド部１２に出力する。拡声スピーカ１８は受話音を拡声して周囲の人に聞かせるためのものであり、増幅回路２１で増幅されたベースバンド部１２の電気信号を音声に変換する。拡声スピーカ１８は着信報知の鳴動も行う。
【００２３】
スピーカ１６、マイクロフォン１７、及び拡声スピーカ１８はそれぞれ増幅回路１９、２０、２１を介して切替回路１５に接続される。切替回路１５は増幅回路１９、２０、２１とベースバンド部１２との接続を制御回路３０の制御によりＯＮ／ＯＦＦする。なお増幅回路１９、２０、２１はいずれもゲイン固定であり、受話音量やマイクロフォンの感度を変更することはできない。スピーカ１６と拡声スピーカ１８の音量調整やマイクロフォン１７の感度調整は制御部３０からの指令により音声コーデック１４が行う。
【００２４】
制御部３０はマイクロプロセッサ（図示せず）を主たる構成要素とし、ＲＯＭ３１に記憶させた動作プログラムに基づき各部を制御する。ＲＯＭ３１は不揮発性メモリであり、動作プログラム以外に電話帳情報や時刻情報なども記憶する。ストップウォッチの情報など、プログラム実行中一時的に保持する必要の生じたデータはＲＡＭ３２に保存される。
【００２５】
制御部３０は内部表示手段３３と外部表示手段３４を制御する。携帯電話機１の折り畳み式筐体を開かないと露出しないのが内部表示手段３３、開かなくても露出するのが外部表示手段３４で、いずれも液晶表示パネルにより構成され、電話番号その他の視覚情報を表示する。
【００２６】
制御部３０は内部表示手段３３及び外部表示手段３４の他、ＣＣＤ方式のカメラ３５と、カメラ３５のフラッシュ光源となり、懐中電灯の代替にもなる白色ＬＥＤのライト３６とを制御対象としている。
【００２７】
制御部３０に指令を伝えるのは内部入力手段４０と外部入力手段５０である。内部入力手段４０はメインの入力手段で、筐体を折り畳んだときに内側になる面に設けられる。外部入力手段は５０はサブの入力手段であって、筐体を折り畳んだときに外側になる面に設けられる。
【００２８】
内部入力手段４０は各種キーにより構成される。キーには数字や文字の入力に用いるテンキー４１、通話を開始する通話キー４２、通話を終了する終了キー４３、表示画面上のカーソルを上下左右に移動させるカーソルキー４４、メールモードにするｍａｉｌキー４５、及び電話帳を操作する電話帳キー４６がある。
【００２９】
外部入力手段５０はライトキー５１とメモキー５２により構成される。ライトキー５１はカメラ３５による撮影時にライト３６にフラッシュ点灯をさせたり、ライト３６を懐中電灯代わりに点灯するのに用いる。ライトキー５１はストップウォッチモードの切り替え操作やストップウォッチのリセット操作にも用いられる。メモキー５２は音声のメモ録音操作、ストップウォッチモードの切り替え操作、ストップウォッチのスタート／ストップ操作などに用いられる。
【００３０】
図２には内部表示手段３３の文字入力時の画面の例が示されている。画面は上下方向に３分割され、一番上が文字入力作業を行う入力領域３３ａ、中間が使用者が選択し表示させた参照データを表示する参照データ表示領域３３ｂ、一番下が候補語句を表示する候補語句表示領域３３ｃとなっている。参照データ表示領域３３ｂには過去に受信したメールや送信したメールを表示できる。図の例では、過去に送信したメールが表示されているという設定になっている。
【００３１】
画面は入力領域３３ａに「と」という文字が入力されたところを示しており、候補語句表示領域には「と」や「ど」で始まる語句が選択候補として表示される。候補語句の優先順位は、参照データ表示領域３３ｂの参照データに含まれる語句を第１とし、過去入力した語句を第２とし、工場出荷時に記憶させた語句を第３とする。過去入力した語句は、入力日時の新しいものが上位の位置に表示される。図の例では「豆腐」「トマト」「とうもろこし」が参照データに含まれる語句であり、「知美」が過去入力した語句であり、「東京」が工場出荷時に記憶させた語句である。カーソルは「豆腐」に重なっている。
【００３２】
図３のフローチャートには候補語句を検索・選出し、表示する手順が示されている。最初にステップＳ１０１で、優先順位第１の候補語句を参照データ表示領域３３ｂに表示された参照データの中から検索する。次にステップＳ１０２で、優先順位第２の候補語句を過去の入力語句から検索する。次にステップＳ１０３で、優先順位第３の候補語句を工場出荷時に記憶させたデータの中から検索する。ステップＳ１０４では検索した候補語句を候補語句表示領域３３ｃに優先順位順に表示する。
【００３３】
この構成では、使用者が文字入力の参考にしようとして表示させた参照データの中から候補語句が選出され、それが優先順位第１で表示されるので、使用者の求める候補語句が候補語句表示領域３３ｃの先頭の方、すなわち上位の位置に表示されている確率が高い。そのため、候補語句を早期に選択できる確率が高まり、候補語句の選択、すなわち文字入力がスピードアップする。また参照データが表示されているので、参照データを視野に置き、それを文章作成の参考としつつ文字入力を進めることができる。
【００３４】
続いて本発明の第２実施形態を図４、５に基づき説明する。図４は文字入力画面の例示、図５は候補語句検索及び表示のフローチャートである。
【００３５】
第２実施形態の携帯電話機１は、文字入力時の画面が第１実施形態と異なる。すなわち画面は第１実施形態のときと同様に上下方向に３分割され、一番上が入力領域３３ａであるが、中間は第１候補語句表示領域３３ｄ、一番下は第２候補語句表示領域３３ｅとなっている。
【００３６】
第１候補語句表示領域３３ｄには参照データが、その中の候補語句に識別を施したうえで表示される。図では「豆腐」と「トマト」が網掛け表示で識別されている。「豆腐」にはカーソルが重なっている。第２候補語句表示領域３３ｅには参照データに含まれる候補語句以外の候補語句が表示される。図の例では、優先順位第１ではあるものの第１候補語句表示領域３３ｄからはみ出した「とうもろこし」、優先順位第２の「知美」、及び優先順位第３の「東京」「ところで」「何処」がこの記載順序で表示されている。
【００３７】
図５のフローチャートには候補語句を検索・選出し、表示する手順が示されている。最初にステップＳ１１１で、優先順位第１の候補語句を第１候補語句表示領域３３ｂに表示された参照データの中から検索する。次にステップＳ１１２で、優先順位第２の候補語句を過去の入力語句から検索する。次にステップＳ１１３で、優先順位第３の候補語句を工場出荷時に記憶させたデータの中から検索する。ステップＳ１１４では第１候補語句表示領域３３ｄに候補語句が存在するかどうかを調べる。存在すればステップＳ１１５に進み、存在しなければステップＳ１１６に進む。
【００３８】
ステップＳ１１５では第１候補語句表示領域３３ｄに存在する候補語句（図４の例では「豆腐」「トマト」）に識別処理を行う。なお識別処理は網掛け表示に限られるものではなく、ハイライト表示したり、文字の色を変えるなど、他の方式によってもよい。識別処理された語句の先頭にカーソルを移動させる。ステップＳ１１６では第１候補語句表示領域３３ｄに現れた候補語句以外の候補語句（第１候補語句表示領域３３ｄで表示されていない候補語句「とうもろこし」を含む）を第２候補語句表示領域３３ｅに優先順位順に表示する。
【００３９】
この構成では、使用者が文字入力の参考にしようとして表示させた参照データの中から候補語句が選出され、それが優先順位第１で表示されるので、使用者の求める候補語句が候補語句表示領域３３ｃの上位の位置に表示されている確率が高まり、候補語句の選択、すなわち文字入力がスピードアップする。また参照データ中の候補語句に識別処理を施すことにより、参照データそのものを候補語句の表示場所に兼用できるから、より多くの候補語句の表示が可能となる。さらに、表示された参照データを視野に置き、それを文章作成の参考としつつ文字入力を進めることができる。
【００４０】
尚、参照データは複数でもよく、また、選択された参照データの文は文字入力時に表示されていなくても参照データ中の語句を候補語句にすることができる。例えば、使用者が文字入力する前に、予め候補語句にする参照データを受信メール、送信メール、メールの添付ファイル、カメラで文字認識した文字、ケーブルから転送された文字データなどから複数選択する。そして、選択された参照データの文を表示すること無く文字入力しても、選択された参照データ中の語句を候補語句として最優先で表示することは可能である。このようにしても、使用者の求める候補語句がより上位の位置に表示される確率を高めることができる。
【００４１】
以上、本発明の実施形態につき説明したが、本発明の範囲はこれに限定されるものではなく、発明の主旨を逸脱しない範囲で種々の変更を加えて実施することができる。
【産業上の利用可能性】
【００４２】
本発明は文字入力機能を備えた携帯電話機に広く利用可能である。
【図面の簡単な説明】
【００４３】
【図１】携帯電話機のブロック構成図
【図２】文字入力画面の例示
【図３】候補語句検索及び表示のフローチャート
【図４】第２実施形態に係る文字入力画面の例示
【図５】第２実施形態に係る候補語句検索及び表示のフローチャート
【符号の説明】
【００４４】
１    携帯電話機
３０  制御部
３３  内部表示手段
３３ａ  入力領域
３３ｂ  参照データ表示領域
３３ｃ  候補語句表示領域
３３ｄ  第１候補語句表示領域
３３ｅ  第２候補語句表示領域
３４  外部表示手段
４０  内部入力手段
５０  外部入力手段
【図１】
0004549307.tif 000002
【図２】
0004549307.tif 000003
【図３】
0004549307.tif 000004
【図４】
0004549307.tif 000005
【図５】
0004549307.tif 000006